(57)【特許請求の範囲】
【請求項１】
左右のドアの各々に、上部が下部より後方に配置されて左右のドアで同一の後傾角度で固設されるガイドレールと、当該ガイドレールに沿って移動自在に取り付けられるキャリアプレートと、が設けられるワイヤ式ウインドウレギュレータ装置において、
前記キャリアプレートには、ウインドウパネルの取り付けに用いる孔として、基準線上に配置される共用孔と、当該共用孔から基準線に沿って離間した位置で当該基準線を中心として線対称に配置される一対の支持孔とが形成され、
左右各ドアにおいて、前記キャリアプレートを、共用孔および一対の支持孔のうち共用孔を前側としかつ基準線が前記ガイドレールの延伸方向と直交する姿勢で、ガイドレールに移動自在に取り付けるとともに、前記共用孔と一対の支持孔のうち上側に配置される支持孔とをウインドウパネルの取り付けに用いることで、当該キャリアプレートを左右のドアの双方で使用できるようにしたことを特徴とするワイヤ式ウインドウレギュレータ装置。
【請求項２】
請求項１記載のワイヤ式ウインドウレギュレータ装置であって、
前記共用孔は、前記基準線上の点と前記一対の支持孔のうち一方を結ぶ線に沿う長孔と、当該基準線上の点と一対の前記支持孔のうち他方を結ぶ線に沿う長孔と、を連設した形状であることを特徴とするワイヤ式ウインドウレギュレータ装置。
【請求項３】
請求項１または２に記載のワイヤ式ウインドウレギュレータ装置であって、
前記ガイドレールを、上下逆にすることにより、左右のドアに対して取り付けられるように構成したことを特徴とするワイヤ式ウインドウレギュレータ装置。
【発明の詳細な説明】
【０００１】
【発明の属する技術分野】
この発明は、ワイヤ式ウインドウレギュレータ装置に関するものである。
【０００２】
【従来の技術】
従来のワイヤ式ウインドウレギュレータ装置としては、例えば、特開平９−３２４１３号公報で知られているように、左右のドアにそれぞれ固定された左右対称のガイドレールに、該ガイドレールに掛け回されたワイヤに係止したキャリアプレートが取付けられ、該キャリアプレートにウインドウパネルが支持されている。従って、ワイヤを上下に駆動させることにより、キャリアプレートがウインドウパネルごとワイヤ方向に沿って上下動する。
【０００３】
キャリアプレートには、前後一対の支持孔が形成され、この支持孔にウインドウパネルの下端部がホルダを介して支持される。この一対の支持孔は、キャリアプレートの移動方向（ワイヤ方向）において上下位置が相違しているため、キャリアプレートとしては左右勝手違いとなり、左右それぞれのガイドレールに対して、左右対称の別個な構造をしたキャリアプレートが取付けられている。
【０００４】
【発明が解決しようとする課題】
このように、従来の技術にあっては、左右で別個の構造をしたキャリアプレートを用意する必要があるため、部品点数の増加を招き、コスト及び部品管理の面で不利である。
【０００５】
この発明は、このような従来の技術に着目してなされたものであり、キャリアプレートの左右勝手違いを解消したワイヤ式ウインドウレギュレータ装置を提供するものである。
【０００６】
【課題を解決するための手段】
請求項１記載の発明は、左右のドアの各々に、上部が下部より後方に配置されて左右のドアで同一の後傾角度で固設されるガイドレールと、当該ガイドレールに沿って移動自在に取り付けられるキャリアプレートと、が設けられるワイヤ式ウインドウレギュレータ装置において、前記キャリアプレートには、ウインドウパネルの取り付けに用いる孔として、基準線上に配置される共用孔と、当該共用孔から基準線に沿って離間した位置で当該基準線を中心として線対称に配置される一対の支持孔とが形成され、左右各ドアにおいて、前記キャリアプレートを、共用孔および一対の支持孔のうち共用孔を前側としかつ基準線が前記ガイドレールの延伸方向と直交する姿勢で、ガイドレールに移動自在に取り付けるとともに、前記共用孔と一対の支持孔のうち上側に配置される支持孔とをウインドウパネルの取り付けに用いることで、当該キャリアプレートを左右のドアの双方で使用できるようにしたことを特徴とするものである。
【０００７】
請求項１記載の発明によれば、左右のドアの双方で同一のキャリアプレートを用いることができ、部品点数の低減を図ることができる。
【００１０】
請求項２記載の発明は、前記共用孔は、前記基準線上の点と前記一対の支持孔のうち一方を結ぶ線に沿う長孔と、当該基準線上の点と一対の前記支持孔のうち他方を結ぶ線に沿う長孔と、を連設した形状であることを特徴とする。
【００１１】
請求項２記載の発明によれば、左右のドアの双方で、基準線上の点と前記一対の支持孔のうち上側となる支持孔とを結ぶ線に沿ってウインドウパネルのキャリアプレートに対する位置調整を行うことができる。
【００１２】
請求項３記載の発明は、前記ガイドレールを、上下逆にすることにより、左右のドアに対して取り付けられるように構成したことを特徴とする。
【００１３】
請求項３記載の発明によれば、ガイドレールも左右共用構造になっているため、更に部品点数の低減を図ることができる。
【００１４】
【発明の実施の形態】
以下、この発明の好適な実施形態を図１〜図５に基づいて説明する。
【００１５】
図１は、左ドアに設けられたウインドウレギュレータ装置を車外側から見た側面図である。符号１はガイドレールで、該ガイドレール１は、若干後傾した状態で、ドアの内部に図示せぬブラケットを介して固定されている。ガイドレール１は上下対称形状で、上下両端部には、半円形状のガイド部２が湾曲側を上下に向けた対向状態で取付けられている。
【００１６】
ガイドレール１の途中には、ベース３を介してモータ４が固定されている。ベース３には、モータ４で回転するドラム５も取付けられ、該ドラム５に上下のガイド部２に掛け回されたワイヤ６が巻回されている。
【００１７】
ガイドレール１は、前述のように上下対称形状のため、モータ４及びワイヤ６を装備した状態で、上下逆にすることにより、左右のドアに共用することができる（図３参照）。
【００１８】
そして、このようなガイドレール１に対してキャリアプレート７が上下動自在に取付けられている。上下のガイド部２に掛け回されたワイヤ６の両端部は、それぞれキャリアプレート７に固定されている。従って、モータ４によりドラム５を回転させてワイヤ６を上下に駆動させると、キャリアプレート７もワイヤ６と共に上下動する。
【００１９】
キャリアプレート７は上下対称形状で、裏面に形成された図示せぬ溝部内にガイドレール１の後縁部を係合させることにより、ワイヤ方向で上下動自在に取付けられているため、キャリアプレート７を上下逆にしても、同じ向き及び同じ角度でワイヤ方向に沿って上下動自在となる。すなわち、キャリアプレート７も左右共用になっている。
【００２０】
また、キャリアプレート７は、図４に示されているように、前側に１つの共用孔８を有し、後側に２つの支持孔９ａ、９ｂを有している。後側の支持孔９ａ、９ｂは、ワイヤ方向に直交し且つ共用孔８を通過する基準線Ｓを中心にして上下対称位置に形成されている。従って、共用孔８を通過する基準線Ｓは、後側の支持孔９ａ、９ｂの中間位置を通過する。
【００２１】
キャリアプレート７は、左右どちら側のガイドレール１に取付けられても、前側の共用孔８と、後側の上方の支持孔９ａ、９ｂに対して、ウインドウパネル１０の下端部を支持するホルダ１１が取付けられる。従って、図３に示すように、共用孔８と２つの支持孔９ａ、９ｂをそれぞれ結ぶ線が支持線Ｌ１、Ｌ２となり、この支持線Ｌ１、Ｌ２に沿ってウインドウパネル１０の下端部がホルダ１１により支持される。
【００２２】
共用孔８は、図５に示すように、共用孔８と他方の支持孔９ａ、９ｂをそれぞれ結ぶ２本の支持線Ｌ１、Ｌ２にそれぞれ沿う２つの長孔を組み合わせた複合孔形状になっており、支持線Ｌ１、Ｌ２に沿った方向での寸法誤差を吸収することができ、ウインドウパネル１０のキャリアプレート７に対する支持点の位置調整を確実に行うことができる。
【００２３】
以上のように、キャリアプレート７及びガイドレール１が左右共用のため、部品点数の低減を図ることができる。
【００２４】
また、キャリアプレート７に形成した二組の支持孔９ａ、９ｂに対する一方側を共用孔８にすることで、キャリアプレート７に形成する支持孔の数が３つで済み、キャリアプレート７の小型を図ることができる。
【００２５】
【発明の効果】
この発明によれば、左右のガイドレールに同一のキャリアプレートを用いることができ、部品点数の低減を図ることができる。
【図面の簡単な説明】
【図１】この発明の一実施形態のウインドウレギュレータ装置を示す側面図。
【図２】図１のウインドウパネル及びキャリアプレートを示す側面図。
【図３】図１の共用化された左右ウインドウレギュレータ装置を対で示す側面図。
【図４】図２のキャリアプレートを示す側面図。
【図５】図４の共用孔を示す拡大図。
【符号の説明】
１  ガイドレール
６  ワイヤ
７  キャリアプレート
８  共用孔（支持孔）
９ａ、９ｂ  支持孔
１０  ウインドウパネル
Ｓ  基準線
Ｌ１、Ｌ２  支持線
【図１】
0003892756.tif 000002
【図２】
0003892756.tif 000003
【図３】
0003892756.tif 000004
【図４】
0003892756.tif 000005
【図５】
0003892756.tif 000006